(57)【要約】【課題】導光板の使用時の撓みや、導光板の膨張・収縮による発光の変化を抑制することができる発光パネルを提供する。【解決手段】発光パネル１が、導光板１２と、対向一対で水平方向Ｄ１２の長辺１２ａそれぞれに沿って延在して当該長辺１２ａに取り付けられＬＥＤ２３を保持する一対の側辺部材２０と、一対の側辺部材２０それぞれに２つずつ固定されるパネル側係止具３０と、取付け箇所に固定されて、パネル側係止具３０が鉛直方向Ｄ１１の上方側から係止する取付け側係止具４０と、を備え、鉛直方向Ｄ１１の下側のパネル側係止具３０が取付け側係止具４０に対して鉛直方向Ｄ１１にスライド移動可能に係止することを特徴とする。【選択図】図２
2018022588.tif 000002
【特許請求の範囲】
【請求項１】
所定の取付け箇所に対して鉛直方向に立たせた姿勢で取り付けられて面発光する発光パネルであって、
少なくとも対向一対の側辺を有する導光板と、
前記対向一対の側辺それぞれに沿って延在して当該側辺に取り付けられ、前記対向一対の側辺のうち少なくとも一方に光を入射する光源を保持する一対の側辺部材と、
前記対向一対の側辺が水平方向に沿った辺である場合には前記一対の側辺部材それぞれに少なくとも１つずつ固定され、前記対向一対の側辺が前記鉛直方向に沿った辺である場合には前記一対の側辺部材それぞれに少なくとも上下一対ずつ固定されるパネル側係止具と、
前記取付け箇所に固定されて、前記パネル側係止具が前記鉛直方向の上方側から係止する取付け側係止具と、を備え、
前記対向一対の側辺が前記水平方向に沿った辺である場合には、前記鉛直方向の下側の前記パネル側係止具が前記取付け側係止具に対して前記鉛直方向にスライド移動可能に係止し、前記対向一対の側辺が前記鉛直方向に沿った辺である場合には、前記鉛直方向の上下双方の前記パネル側係止具が前記取付け側係止具に対して前記水平方向にスライド移動可能に係止することを特徴とする発光パネル。
【請求項２】
前記取付け側係止具が、前記パネル側係止具に対して一対一に設けられ、かつ、当該取付け側係止具と前記パネル側係止具とが同一形状を有していることを特徴とする請求項１に記載の発光パネル。
【請求項３】
前記パネル側係止具及び前記取付け側係止具が、取付対象に重ねられて固定される固定板部と、前記固定板部の端縁から、当該固定板部の厚み方向にずれて延出した係止板部と、を備え、
前記パネル側係止具及び前記取付け側係止具の一方における前記係止板部が他方における前記係止板部と前記取付対象との間隙に嵌合することで、前記パネル側係止具が前記取付け側係止具に係止することを特徴とする請求項２に記載の発光パネル。
【請求項４】
前記対向一対の側辺が前記水平方向に沿った辺である場合には、前記鉛直方向の下側の前記パネル側係止具と前記取付け側係止具との間には、前記鉛直方向について、前記導光板の膨張・収縮の度合いに応じた広さの空間が開けられることを特徴とする請求項１〜３のうち何れか一項に記載の発光パネル。
【請求項５】
前記一対の側辺部材は、その厚み方向に貫通して前記導光板へと達する結合部材を介して前記対向一対の側辺それぞれに取り付けられ、
前記一対の側辺部材には、前記導光板の膨張・収縮における前記側辺に沿った成分に応じて当該側辺とともに移動可能に前記結合部材が貫通する長孔が設けられていることを特徴とする請求項１〜４のうち何れか一項に記載の発光パネル。
【請求項６】
前記長孔が、前記対向一対の側辺それぞれの両端近傍に対応した複数の位置に設けられており、
複数の前記長孔のうち、前記鉛直方向の上側に位置する上側長孔は、前記側辺に沿った方向に延在した直線形状を有しており、前記鉛直方向の下側に位置する下側長孔は、前記側辺に沿った方向に延在して更に前記導光板の中央側へと斜行した屈曲形状を有していることを特徴とする請求項５に記載の発光パネル。
【請求項７】
前記パネル側係止具は、前記側辺部材の前記側辺への取付け箇所とはずれた位置で、前記導光板側から前記側辺部材を貫通するネジによって当該側辺部材に固定されていることを特徴とする請求項１〜６のうち何れか一項に記載の発光パネル。
【発明の詳細な説明】
【技術分野】
【０００１】
本発明は、面発光する発光パネルに関する。
【背景技術】
【０００２】
従来、導光板に光源の光を入射して面発光させる発光パネルが知られている（例えば、特許文献１参照。）。このような発光パネルは、取付け箇所に対して鉛直方向に立たせた姿勢で取り付けられて使用されることがある。
【先行技術文献】
【特許文献】
【０００３】
【特許文献１】特許第４９９０９５２号公報
【発明の概要】
【発明が解決しようとする課題】
【０００４】
ここで、近年では、発光パネルに対する薄型化の要望を受けて導光板も薄く形成される傾向にある。このとき、薄い導光板を採用した発光パネルを鉛直方向に立たせた姿勢で使用した場合、その薄さゆえに導光板が自重で撓む恐れがあるが、導光板の撓みは発光パネルにおける発光品質を低下させることから、この撓みは抑制されることが望ましい。
【０００５】
また、導光板としては、合成樹脂等のように熱や湿気で膨張・収縮する素材で形成されたものが採用されることが多い。そして、発光パネルの多くは、このような導光板の側辺に、光源を保持した部材を取付けて構成される。このとき、導光板が面内方向に膨張・収縮したときに光源と導光板との間隔が変化して発光が変化するといった事態も抑制されている方が望ましい。
【０００６】
従って、本発明は、上記のような課題に着目し、導光板の使用時の撓みや、導光板の膨張・収縮による発光の変化を抑制することができる発光パネルを提供することを目的とする。
【課題を解決するための手段】
【０００７】
上記課題を解決するために、本発明の発光パネルは、所定の取付け箇所に対して鉛直方向に立たせた姿勢で取り付けられて面発光する発光パネルであって、少なくとも対向一対の側辺を有する導光板と、前記対向一対の側辺それぞれに沿って延在して当該側辺に取り付けられ、前記対向一対の側辺のうち少なくとも一方に光を入射する光源を保持する一対の側辺部材と、前記対向一対の側辺が水平方向に沿った辺である場合には前記一対の側辺部材それぞれに少なくとも１つずつ固定され、前記対向一対の側辺が前記鉛直方向に沿った辺である場合には前記一対の側辺部材それぞれに少なくとも上下一対ずつ固定されるパネル側係止具と、前記取付け箇所に固定されて、前記パネル側係止具が前記鉛直方向の上方側から係止する取付け側係止具と、を備え、前記対向一対の側辺が前記水平方向に沿った辺である場合には、前記鉛直方向の下側の前記パネル側係止具が前記取付け側係止具に対して前記鉛直方向にスライド移動可能に係止し、前記対向一対の側辺が前記鉛直方向に沿った辺である場合には、前記鉛直方向の上下双方の前記パネル側係止具が前記取付け側係止具に対して前記水平方向にスライド移動可能に係止することを特徴としている。
【０００８】
ここで、本発明の発光パネルにおいて、前記取付け側係止具が、前記パネル側係止具に対して一対一に設けられ、かつ、当該取付け側係止具と前記パネル側係止具とが同一形状を有していることが好適である。
【０００９】
そして、この好適な発光パネルにおいて、前記パネル側係止具及び前記取付け側係止具が、取付対象に重ねられて固定される固定板部と、前記固定板部の端縁から、当該固定板部の厚み方向にずれて延出した係止板部と、を備え、前記パネル側係止具及び前記取付け側係止具の一方における前記係止板部が他方における前記係止板部と前記取付対象との間隙に嵌合することで、前記パネル側係止具が前記取付け側係止具に係止することが一層好適である。
【００１０】
また、本発明の発光パネルにおいて、前記対向一対の側辺が前記水平方向に沿った辺である場合には、前記鉛直方向の下側の前記パネル側係止具と前記取付け側係止具との間には、前記鉛直方向について、前記導光板の膨張・収縮の度合いに応じた広さの空間が開けられることも好適である。
【００１１】
また、本発明の発光パネルにおいて、前記一対の側辺部材は、その厚み方向に貫通して前記導光板へと達する結合部材を介して前記対向一対の側辺それぞれに取り付けられ、前記一対の側辺部材には、前記導光板の膨張・収縮における前記側辺に沿った成分に応じて当該側辺とともに移動可能に前記結合部材が貫通する長孔が設けられていることも好適である。
【００１２】
そして、この好適な発光パネルは、前記長孔が、前記対向一対の側辺それぞれの両端近傍に対応した複数の位置に設けられており、複数の前記長孔のうち、前記鉛直方向の上側に位置する上側長孔は、前記側辺に沿った方向に延在した直線形状を有しており、前記鉛直方向の下側に位置する下側長孔は、前記側辺に沿った方向に延在して更に前記導光板の中央側へと斜行した屈曲形状を有しているものであってもよい。
【００１３】
また、本発明の発光パネルにおいて、前記パネル側係止具は、前記側辺部材の前記側辺への取付け箇所とはずれた位置で、前記導光板側から前記側辺部材を貫通するネジによって当該側辺部材に固定されていることが好適である。
【発明の効果】
【００１４】
本発明の発光パネルによれば、パネル側係止具が鉛直方向の上方側から係止することにより吊下げ状態で取付け箇所に取り付けられる。吊下げ状態となることから、導光板にはその自重が、導光板を鉛直方向に延ばす向きに掛かるので撓みが抑制されることとなる。
【００１５】
ここで、一対の側辺部材が水平方向に沿った側辺に取り付けられる場合には、導光板における膨張・収縮は、主として一対の側辺部材が互いに接離する鉛直方向に生ずる。本発明の発光パネルによれば、この場合には、下側の側辺部材に固定される下側のパネル側係止具が、取付け側係止具に対して鉛直方向にスライド移動可能に係止する。これにより、下側の側辺部材が導光板の側辺と一緒に鉛直方向に移動して導光板の膨張・収縮が吸収される。その結果、側辺部材が保持する光源と導光板の側辺との距離が、導光板の膨張・収縮に依らずに略一定に保たれるので、発光パネルにおける発光の変化を抑制することができる。
【００１６】
他方、一対の側辺部材が鉛直方向に沿った側辺に取り付けられる場合には、導光板における膨張・収縮は、主として一対の側辺部材が互いに接離する水平方向に生ずる。本発明の発光パネルによれば、この場合には、各側辺部材に固定される上下双方のパネル側係止具が、取付け側係止具に対して水平方向にスライド移動可能に係止する。これにより、各側辺部材が導光板の側辺と一緒に水平方向に移動して導光板の膨張・収縮が吸収される。その結果、側辺部材が保持する光源と導光板の側辺との距離が、導光板の膨張・収縮に依らずに略一定に保たれるので、発光パネルにおける発光の変化を抑制することができる。
【００１７】
このように、本発明の発光パネルによれば、導光板の使用時の撓みや、導光板の膨張・収縮による発光の変化を抑制することができる。
【図面の簡単な説明】
【００１８】
【図１】第１実施形態にかかる発光パネルを、所定の取付け箇所に対する取付け側となる裏面側から見た平面図である。
【図２】図１に示されている発光パネルの側面図である。
【図３】ネジによる側辺部材の導光板への固定箇所を示す拡大斜視図である。
【図４】第２実施形態にかかる発光パネルを、図２と同様の側面図で示す図である。
【図５】第３実施形態にかかる発光パネルを、所定の取付け箇所に対する取付け側となる裏面側から見た平面図である。
【図６】図５に示されている発光パネルの上側端面図である。
【図７】図５に示されている発光パネルの側面図である。
【発明を実施するための形態】
【００１９】
本発明の一実施形態の発光パネルについて、以下に説明を行う。
【００２０】
まず、第１実施形態について説明する。
【００２１】
図１は、第１実施形態にかかる発光パネルを、所定の取付け箇所に対する取付け側となる裏面側から見た平面図である。また、図２は、図１に示されている発光パネルの側面図である。尚、図２では、発光パネル１について、鉛直方向Ｄ１１の上側端部側面の拡大図と下側端部側面の拡大図とが示されている。
【００２２】
ここにいう発光パネル１は、例えば家屋の壁面等といった不図示の取付け箇所に対して鉛直方向Ｄ１１に立たせた姿勢で取り付けられて面発光するものである。発光パネル１は、積層板部１０と、一対の側辺部材２０と、４個のパネル側係止具３０と、４個の取付け側係止具４０と、を備えている。
【００２３】
積層板部１０は、厚さが略２ｍｍの乳板１１と、厚さが略３ｍｍの透明樹脂製の導光板１２と、反射シート１３と、厚さが略１ｍｍのアルミ板１４とが積層されて構成された長方形板である。乳板１１が発光面側で、アルミ板１４が裏面側となっている。また、図１に示されているように、本実施形態では、導光板１２を含む積層板部１０は、導光板１２の対向一対の長辺（側辺）１２ａが水平方向Ｄ１２に沿うように配置される。
【００２４】
側辺部材２０は、積層板部１０、つまりは導光板１２の長辺１２ａに略全長に亘って沿った帯板状の部材であってアルミニウム合金で形成されている。導光板１２の対向一対の長辺（側辺）１２ａそれぞれにネジ２０ａで固定される。ネジ２０ａは、各側辺部材２０の水平方向Ｄ１２の両端近傍に取り付けられる。
【００２５】
鉛直方向Ｄ１１について上下一対の側辺部材２０うち、上側の側辺部材２０は、導光板１２にアルミ板１４の側からネジ２０ａで固定される板部２１と、この板部２１の上端部にネジ２２ａで固定される光源保持部２２と、を備えている。光源保持部２２は、導光板１２の上側の長辺１２ａに光を入射する光源としてのＬＥＤ２３を保持している。光源保持部２２は、ネジ２２ａの着脱により板部２１から着脱自在となっており、これによりＬＥＤ２３の新品との交換メンテナンス等が容易に行なえるように構成されている。一方、下側の側辺部材２０は、板部２１のみで構成されており、本実施形態では導光板１２の下側の長辺１２ａからは光が入射されないようになっている。尚、本実施形態とは異なり、下側の側辺部材２０でも板部２１に光源保持部２２を固定し、下側の長辺１２ａから光が入射されるように構成してもよい。ネジ２０ａによる側辺部材２０の導光板１２への固定については、後でもう一度説明する。
【００２６】
パネル側係止具３０は、上下一対の側辺部材２０それぞれの裏面に２つずつネジ３０ａとナット３０ｂで固定されるアルミ製の金具である。図１に示されているように各側辺部材２０における２つのパネル側係止具３０は、ネジ２０ａによる固定箇所に挟まれ、且つ水平方向Ｄ１２の中央を挟んだ対称位置に固定される。パネル側係止具３０は、側辺部材２０の導光板１２の長辺１２ａへの取付け箇所とはずれた位置で、導光板１２側から側辺部材２０を貫通するネジ３０ａと、そのネジ３０ａに締結されるナット３０ｂによって当該側辺部材２０に固定されている。
【００２７】
取付け側係止具４０は、不図示の取付け箇所にネジ４０ａで固定されてパネル側係止具３０が鉛直方向Ｄ１１の上方側から係止するアルミ製の金具である。
【００２８】
ここで、本実施形態では、取付け側係止具４０が、パネル側係止具３０に対して一対一に設けられる。そして、取付け側係止具４０とパネル側係止具３０とが同一形状を有している。
【００２９】
同一形状のパネル側係止具３０及び取付け側係止具４０は、固定板部３１，４１と、係止板部３２，４２と、を備えている。固定板部３１，４１は、取付対象としての側辺部材２０や取付け箇所に重ねられてネジ３０ａ，４０ａで固定される部位である。係止板部３２，４２は、固定板部３１，４１の端縁から、当該固定板部３１，４１の厚み方向にずれて延出した部位である。
【００３０】
パネル側係止具３０は、係止板部３２が下方に延出し、側辺部材２０と係止板部３２との間に間隙Ｓ１１が開くように側辺部材２０に固定される。他方、取付け側係止具４０は、パネル側係止具３０とは逆向きに、係止板部４２が上方に延出し、取付け箇所と係止板部４２の間に間隙Ｓ１２が開くように取付け箇所に固定される。そして、パネル側係止具３０及び取付け側係止具４０の一方における係止板部３２，４２が他方における係止板部３２，４２と側辺部材２０や取付け箇所との間隙Ｓ１１，Ｓ１２に嵌合することで、パネル側係止具３０が取付け側係止具４０に係止する。
【００３１】
このとき、本実施形態では、鉛直方向Ｄ１１の下側のパネル側係止具３０と取付け側係止具４０との間には、鉛直方向Ｄ１１について、導光板１２の膨張・収縮の度合いに応じた広さの空間Ｓ１３が開けられる。これにより、下側のパネル側係止具３０は、取付け側係止具４０に対して鉛直方向Ｄ１１にこの空間Ｓ１３の分だけスライド移動可能に係止する。
【００３２】
次に、ネジ２０ａによる側辺部材２０の導光板１２への固定について詳細に説明する。
【００３３】
図３は、ネジによる側辺部材の導光板への固定箇所を示す拡大斜視図である。ネジ２０ａによる側辺部材２０の固定は、図１にも示されているように、導光板１２の一対の長辺１２ａそれぞれの両端近傍、つまりは、導光板１２の四隅近傍で行われる。導光板１２の四隅近傍にはヘリサート１２ｂが、裏面側の反射シート１３を貫通して開口した状態で埋め込まれている。結合部材としてのネジ２０ａは、側辺部材２０の板部２１を貫通してこのヘリサート１２ｂに捩じ込まれる。
【００３４】
ここで、一対の側辺部材２０それぞれの板部２１には、導光板１２の膨張・収縮における長辺１２ａに沿った水平方向Ｄ１２の成分に応じて当該長辺１２ａとともに移動可能にネジ２０ａが貫通する長孔２１ａ，２１ｂが設けられている。上下合わせて４箇所の長孔２１ａ，２１ｂのうち、鉛直方向Ｄ１１の上側に位置する上側長孔２１ａは、長辺１２ａに沿った水平方向Ｄ１２に延在した直線形状を有している。他方、鉛直方向Ｄ１１の下側に位置する下側長孔２１ｂは、水平方向Ｄ１２に延在して更に導光板１２の中央側へと斜行した屈曲形状を有している。
【００３５】
また、導光板１２の裏面に反射シート１３を介して重ねられるアルミ板１４には、ヘリサート１２ｂの開口を囲むように大径の丸孔１４ａが設けられている。この丸孔１４ａの径は、ネジ２０ａの長孔２１ａ，２１ｂの内部の移動を妨げない程度の径となっている。
【００３６】
以上に説明した本実施形態の発光パネル１によれば、パネル側係止具３０が鉛直方向Ｄ１１の上方側から係止することにより吊下げ状態で取付け箇所に取り付けられる。吊下げ状態となることから、導光板１２にはその自重が、導光板１２を鉛直方向Ｄ１１に延ばす向きに掛かるので撓みが抑制されることとなる。
【００３７】
また、一対の側辺部材２０が水平方向に沿った長辺１２ａに取り付けられる本実施形態では、導光板１２における膨張・収縮は、主として一対の側辺部材２０が互いに接離する鉛直方向Ｄ１１に生ずる。本実施形態の発光パネル１によれば、下側の側辺部材２０に固定される下側のパネル側係止具３０が、取付け側係止具４０に対して鉛直方向Ｄ１１にスライド移動可能に係止する。これにより、下側の側辺部材２０が導光板１２の長辺１２ａと一緒に鉛直方向Ｄ１１に移動して導光板１２の膨張・収縮が吸収される。その結果、側辺部材２０が保持するＬＥＤ２３と導光板１２の長辺１２ａとの距離が、導光板１２の膨張・収縮に依らずに略一定に保たれるので、発光パネル１における発光の変化を抑制することができる。
【００３８】
このように、本実施形態の発光パネル１によれば、導光板１２の使用時の撓みや、導光板１２の膨張・収縮による発光の変化を抑制することができる。
【００３９】
また、本実施形態の発光パネル１によれば、取付け側係止具４０及びパネル側係止具３０として、同一形状の部品が用いられるので、製造コストを低減させることができる。
【００４０】
更に、本実施形態の発光パネル１によれば、パネル側係止具３０及び取付け側係止具４０として、固定板部３１，４１とその厚み方向にずれた係止板部３２，４２とを備えた加工の簡単な形状の部品が用いられるので、製造コストを一層低減させることができる。
【００４１】
また、本実施形態では、下側のパネル側係止具３０と取付け側係止具４０との間に導光板１２の膨張・収縮の度合いに応じた広さの空間Ｓ１３を開けるという施工の簡単な構成で、下側のパネル側係止具３０の鉛直方向Ｄ１１のスライド移動が実現される。本実施形態の発光パネル１によれば、このような施工の簡単な構成の採用によっても製造コストを低減させることができる。
【００４２】
また、本実施形態の発光パネル１によれば、導光板１２の膨張・収縮における、一対の側辺部材２０を接離させる主な成分だけでなく、導光板１２の長辺１２ａに沿った成分についても、長孔２１ａ，２１ｂ内のネジ２０ａの移動で吸収することができる。これにより、導光板１２の膨張・収縮の、発光への影響を一層抑えることができる。
【００４３】
そして、本実施形態では、発光パネル１の吊下げ状態の起点となる上側長孔２１ａは、鉛直方向Ｄ１１には導光板１２の膨張・収縮に関わらず、常時荷重が下向きに掛かった状態となる。このため、上側長孔２１ａは膨張・収縮の水平方向成分のみを吸収するべく水平方向Ｄ１２の長孔となっている。他方、下側長孔２１ｂには、特に収縮時に導光板１２の中央側へと斜め上方の向きの荷重が掛かることがあり、これに対応するべく下側長孔２１ｂは上記のような屈曲形状の長孔となっている。
【００４４】
尚、下側長孔については、本実施形態の屈曲形状の下側長孔２１ｂとは異なり、ネジ２０ａの斜め移動も可能な程度に幅広の水平長孔であってもよい。
【００４５】
また、本実施形態の発光パネル１によれば、パネル側係止具３０の側辺部材２０への固定位置と、側辺部材２０の導光板１２の長辺１２ａへの取付け箇所とがずれている。このため、本実施形態では、パネル側係止具３０に掛かる係止荷重が、導光板１２における側辺部材２０の取付け箇所に直に掛かることがない。これにより、発光パネル１を、その荷重負荷を抑えて取付け箇所に取付けることができる。
【００４６】
次に、第２実施形態について説明する。
【００４７】
第２実施形態は、側辺部材２０の導光板１２へのネジ固定の向きが第１実施形態と異なっている。以下、第２実施形態について、この第１実施形態との相違点に注目して説明を行う。
【００４８】
図４は、第２実施形態にかかる発光パネルを、図２と同様の側面図で示す図である。尚、この図４では、図２に示されている第１実施形態の構成要素と同等な構成要素については図２と同じ符号が付されている。以下では、これら同等な構成要素については重複説明を省略する。
【００４９】
本実施形態では、側辺部材２０の導光板１２へのネジ固定が、発光面側から導光板１２及び側辺部材２０を貫通するネジ２０１と、そのネジ２０１へのナット２０２の締結によって行われる。
【００５０】
この第２実施形態の発光パネル２によっても、第２実施形態の発光パネル１と同様に、導光板１２の使用時の撓みや、導光板１２の膨張・収縮による発光の変化を抑制することができることは言うまでもない。
【００５１】
次に、第３実施形態について説明する。
【００５２】
第３実施形態は、導光板１２の取付け姿勢や側辺部材の構造等が第１実施形態とは異なっている。以下、第３実施形態について、この第１実施形態との相違点に注目して説明を行う。
【００５３】
図５は、第３実施形態にかかる発光パネルを、所定の取付け箇所に対する取付け側となる裏面側から見た平面図である。また、図６は、図５に示されている発光パネルの上側端面図であり、図７は、図５に示されている発光パネルの側面図である。尚、これらの図５〜７では、図１，２に示されている第１実施形態の構成要素と同等な構成要素については図１，２と同じ符号が付されている。以下では、これら同等な構成要素については重複説明を省略する。
【００５４】
本実施形態では、導光板１２は、その対向一対の長辺１２ａが鉛直方向Ｄ１１に沿うように配置される。また、対向一対の長辺１２ａに取り付けられる一対の側辺部材５０が、図６に示されているように、断面がＣ字状の額縁部材となっている。各側辺部材５０は、各長辺１２ａに被せられるように取り付けられ、ネジ５０ａによって導光板１２の四隅の位置で固定される。光源としてのＬＥＤ２３は、図６中の右側の側辺部材５０の内部にのみ、長辺１２ａへと光を入射するように収容されている。尚、本実施形態とは異なり、一対の側辺部材５０の双方にＬＥＤ２３を収容するように構成してもよい。
【００５５】
ここで、本実施形態では、鉛直方向Ｄ１１に沿った対向一対の長辺１２ａに取り付けられた一対の側辺部材５０それぞれに、パネル側係止具３０が、上下一対ずつネジ３０ａとナット３０ｂにより固定される。これら合計で４個のパネル側係止具３０が、一対一に設けられた４個の取付け側係止具４０に係止する。このとき、鉛直方向Ｄ１１の上下双方のパネル側係止具３０が取付け側係止具４０に対して水平方向Ｄ１２にスライド移動可能に係止する。これは、次のような構成により実現されている。即ち、本実施形態では、パネル側係止具３０の係止板部３２と側辺部材２０との間隙Ｓ１１が、取付け側係止具４０の係止板部４２の厚みよりも若干広くなっている。また、取付け側係止具４０の係止板部４２と取付け箇所との間隙Ｓ１２が、パネル側係止具３０の係止板部３２の厚みよりも若干広くなっている。このような間隙Ｓ１１、Ｓ１２の広さと係止板部３２、４２の厚みとの差異により水平方向Ｄ１２のスライド移動が可能となっている。
【００５６】
以上に説明した第３実施形態の発光パネル３でも、第１実施形態の発光パネル１と同様に吊下げ状態となることから導光板１２の撓みが抑制されることとなる。
【００５７】
ここで、一対の側辺部材５０が鉛直方向Ｄ１１に沿った長辺１２ａに取り付けられる第３実施形態では、導光板１２における膨張・収縮は、主として一対の側辺部材５０が互いに接離する水平方向Ｄ１２に生ずる。本実施形態の発光パネル３によれば、各側辺部材５０に固定される上下双方のパネル側係止具３０が、取付け側係止具４０に対して水平方向Ｄ１２にスライド移動可能に係止する。これにより、各側辺部材５０が導光板１２の長辺１２ａと一緒に水平方向Ｄ１２に移動して導光板１２の膨張・収縮が吸収される。その結果、側辺部材５０が保持するＬＥＤ２３と導光板１２の長辺１２ａとの距離が、導光板１２の膨張・収縮に依らずに略一定に保たれるので、発光パネル３における発光の変化を抑制することができる。
【００５８】
このように、第３実施形態の発光パネル３によっても、導光板１２の使用時の撓みや、導光板１２の膨張・収縮による発光の変化を抑制することができる。
【００５９】
尚、以上に説明した実施形態は本発明の代表的な形態を示したに過ぎず、本発明は、これらの実施形態に限定されるものではない。即ち、本発明の骨子を逸脱しない範囲で種々変形して実施することができる。かかる変形によってもなお本発明の発光パネルの構成を具備する限り、勿論、本発明の範疇に含まれるものである。
【００６０】
例えば、上述した３つの実施形態では、いずれも、本発明にいう導光板の一例として、長方形板状の導光板１２が例示されている。しかしながら、本発明にいう導光板は、これに限るものではなく、少なくとも対向一対の側辺を有するものであれば例えば正方形板状のもの等であってもよく、その具体的な形状を問うものではない。
【００６１】
また、上述した３つの実施形態では、いずれも、本発明にいう発光パネルの一例として、次のような形態の発光パネル１，２，３が例示されている。即ち、厚さが略２ｍｍの乳板１１と、厚さが略３ｍｍの導光板１２と、反射シート１３と、厚さが略１ｍｍのアルミ板１４とが積層された積層板部１０を備えた形態の発光パネル１，２，３が例示されている。しかしながら、本発明にいう発光パネルは、この形態のものに限るものではなく、具体的な層構造や、各層の厚み寸法等については適宜に選択し得る。
【００６２】
また、上述した３つの実施形態では、いずれも、本発明にいうパネル側係止具の一例として、一対の側辺部材２０，５０それぞれに２つずつ固定されるパネル側係止具３０が例示されている。しかしながら、本発明にいうパネル側係止具はこれに限るものではない。本発明にいうパネル側係止具は、例えば側辺部材が水平方向に沿った側辺に取り付けられる場合には、各側辺部材の水平方向中央部に１つずつ固定されるもの等であってもよい。勿論、側辺部材が水平方向と鉛直方向とのいずれの方向の側辺に取り付けられる場合であっても、各側辺部材に３つ以上ずつパネル側係止具が固定されてもよい。
【００６３】
また、上述した３つの実施形態では、いずれも、本発明にいうパネル側係止具や取付け側係止具の一例として、互いに一対一かつ同形状に設けられたパネル側係止具３０及び取付け側係止具４０が例示されている。しかしながら、本発明にいうパネル側係止具や取付け側係止具は、これに限るものではない。本発明にいうパネル側係止具や取付け側係止具は、例えば、一方の係止具が水平方向に複数並べられて設けられ、他方の係止具が、水平方向に長く延びて上記の複数の一方の係止具と一度に係止するように設けられたもの等であってもよい。ただし、パネル側係止具や取付け側係止具を、互いに一対一かつ同形状に設けることで、製造コストの低減等が図られることは上述したとおりである。
【符号の説明】
【００６４】
１，２，３  発光パネル
１０  積層板部
１１  乳板
１２  導光板
１２ａ  長辺（側辺）
１２ｂ  ヘリサート
１３  反射シート
１４  アルミ板
１４ａ  丸孔
２０，５０  側辺部材
２０ａ，２２ａ，３０ａ，４０ａ，５０ａ，２０１  ネジ
２１  板部
２１ａ  上側長孔
２１ｂ  下側長孔
２２  光源保持部
２３  ＬＥＤ
３０  パネル側係止具
３０ｂ，２０２  ナット
３１，４１  固定板部
３２，４２  係止板部
４０  取付け側係止具
Ｄ１１  鉛直方向
Ｄ１２  水平方向
Ｓ１１  間隙
Ｓ１２  間隙
Ｓ１３  空間
【図１】
2018022588.tif 000003
【図２】
2018022588.tif 000004
【図３】
2018022588.tif 000005
【図４】
2018022588.tif 000006
【図５】
2018022588.tif 000007
【図６】
2018022588.tif 000008
【図７】
2018022588.tif 000009